【手続補正書】
【提出日】平成16年3月22日(2004.3.22)
【手続補正１】
【補正対象書類名】明細書
【補正対象項目名】特許請求の範囲
【補正方法】変更
【補正の内容】
【特許請求の範囲】
【請求項１】  （ａ）成分Ａが半結晶性ポリマーおよび８ＭＰａを超える剪断弾性係数を有する非晶質ポリマーである熱可塑性樹脂群から選択され；
（ｂ）成分Ｂが疎水性作用物質のポリマーであり；
（ｃ）成分ＡおよびＢが相互に混和性でなく、成分ＡおよびＢが混合後反応する場合に成分ＡおよびＢは反応前に混和せず；
（ｄ）成分Ｃが乾燥剤粒子であり；
（ｅ）成分Ａの体積率が成分Ａ、ＢおよびＣの全体積の少なくとも５０体積％を示し；
（ｆ）成分Ｂおよび成分Ｃ間の優先親和力が成分Ａおよび成分Ｃ間の優先親和力よりも大きく；
（ｇ）少なくとも２相が形成され、１相目が大部分の（ａ  ｍａｊｏｒｉｔｙ  ｏｆ）成分Ａからなり、第２相目が大部分の（ａ  ｍａｊｏｒｉｔｙ  ｏｆ）成分Ｂおよび大部分の（ａ  ｍａｊｏｒｉｔｙ  ｏｆ）成分Ｃからなり；および
（ｈ）２相が共連続相互連絡チャネル形態を形成する、
少なくとも３成分を含む共連続相互連絡チャネル形態を有する組成物。
【請求項２】  （ａ）成分Ａが半結晶性ポリマーおよび８ＭＰａを超える剪断弾性係数を有する非晶質ポリマーである熱可塑性樹脂群から選択され；
（ｂ）成分Ｂが疎水性作用物質のポリマーであり；
（ｃ）成分ＡおよびＢが相互に混和性でなく、成分ＡおよびＢが混合後反応する場合に成分ＡおよびＢは反応前に混和せず；
（ｄ）成分Ｃが放出性材料粒子であり；
（ｅ）成分Ａの体積率が成分Ａ、ＢおよびＣの全体積の少なくとも５０体積％を示し；
（ｆ）成分Ｂおよび成分Ｃ間の優先親和力が成分Ａおよび成分Ｃ間の優先親和力よりも大きく；
（ｇ）少なくとも２相が形成され、１相目が大部分の成分Ａからなり、第２相目が大部分の成分Ｂおよび大部分の成分Ｃからなり；および
（ｈ）２相が共連続相互連絡チャネル形態を形成する、
少なくとも３成分を含む共連続相互連絡チャネル形態を有する組成物。
【請求項３】  （ａ）成分Ａが半結晶性ポリマーおよび８ＭＰａを超える剪断弾性係数を有する非晶質ポリマーである熱可塑性樹脂群から選択され；
（ｂ）成分Ｂがポリマーであり；
（ｃ）成分ＡおよびＢが相互に混和性でなく、成分ＡおよびＢが混合後反応する場合に、成分ＡおよびＢは反応前に混和せず；
（ｄ）成分Ｃが粒子であり；
（ｅ）成分Ａの体積率が成分Ａ、ＢおよびＣの全体積の少なくとも５０体積％を示し；
（ｆ）成分Ｂおよび成分Ｃ間の優先親和力が成分Ａおよび成分Ｃ間の優先親和力よりも大きく；
（ｇ）少なくとも２相が形成され、１相目が大部分の成分Ａからなり、第２相目が大部分の成分Ｂおよび大部分の成分Ｃからなり；および
（ｈ）２相が共連続相互連絡チャネル形態を形成する、
少なくとも３成分を含む共連続相互連絡チャネル形態を有する組成物。
【請求項４】  （ａ）成分Ａが半結晶性ポリマーおよび８ＭＰａを超える剪断弾性係数を有する非晶質ポリマーである熱可塑性樹脂群から選択され；
（ｂ）成分Ｂが疎水性作用物質のポリマーであり；
（ｃ）成分ＡおよびＢが相互に混和性でなく、成分ＡおよびＢが混合後反応する場合に、成分ＡおよびＢは反応前に混和せず；
（ｄ）成分Ｃが活性化材料粒子であり；
（ｅ）成分Ａの体積率が成分Ａ、ＢおよびＣの全体積の少なくとも５０体積％を示し；
（ｆ）成分Ｂおよび成分Ｃ間の優先親和力が成分Ａおよび成分Ｃ間の優先親和力よりも大きく；
（ｇ）少なくとも２相が形成され、１相目が大部分の成分Ａからなり、第２相目が大部分の成分Ｂおよび大部分の成分Ｃからなり；および
（ｈ）２相が共連続相互連絡チャネル形態を形成する、
少なくとも３成分を含む共連続相互連絡チャネル形態を有する組成物。
【請求項５】  （ａ）成分Ａが半結晶性ポリマーおよび８ＭＰａを超える剪断弾性係数を有する非晶質ポリマーである熱可塑性樹脂群から選択され；
（ｂ）成分Ｂが疎水性作用物質のポリマーであり；
（ｃ）成分ＡおよびＢが相互に混和性でなく、成分ＡおよびＢが混合後反応する場合に、成分ＡおよびＢは反応前に混和せず；
（ｄ）成分Ｃが乾燥剤粒子であり；
（ｅ）成分Ａの体積率が成分Ａ、ＢおよびＣの全体積の少なくとも５０体積％を示し；
（ｆ）成分Ｂおよび成分Ｃ間の優先親和力が成分Ａおよび成分Ｃ間の優先親和力よりも大きく；
（ｇ）少なくとも２相が形成され、１相目が大部分の成分Ａからなり、第２相目が大部分の成分Ｂおよび大部分の成分Ｃからなり；および
（ｈ）２相が共連続相互連絡チャネル形態を形成する、
少なくとも３成分を含む共連続相互連絡チャネル形態を有する組成物。
【請求項６】  成分Ａがポリオレフィン、ポリカーボネートおよびポリアミドから成る群から選択される、請求項１の組成物。
【請求項７】  成分Ｂがポリグリコール、ポリ（エチレンビニルアルコール）、およびポリビニルアルコールから成る群から選択される、請求項５の組成物。
【請求項８】  組成物が造形品の形態を取り、造形品がシート、膜、ペレットおよびビーズから成る群から選択される、請求項１の組成物。
【請求項９】  成分Ａがポリオレフィン、ポリカーボネートおよびポリアミドから成る群から選択され、成分Ｂがポリグリコールから成る群から選択される、請求項５の組成物。
【請求項１０】  （ａ）成分Ａが半結晶性ポリマーおよび８ＭＰａを超える剪断弾性係数を有する非晶質ポリマーである熱可塑性樹脂群から選択され；
（ｂ）成分ＢおよびＢ’がポリマーであり；
（ｃ）成分Ａ、ＢおよびＢ’が相互に混和性でなく；
（ｄ）成分ＣおよびＣ’が粒子であり；
（ｅ）成分Ａの体積分率が成分Ａ、Ｂ、Ｂ’、ＣおよびＣ’の全体体積の少なくとも３４体積％を示し；
（ｆ）成分ＢおよびＣ間の優先親和力が成分ＡおよびＣ間、および成分Ｂ’およびＣ間のいずれよりも大きく；
（ｇ）成分Ｂ’およびＣ’間の優先親和力が、成分ＡおよびＣ’間、および成分ＢおよびＣ’間のいずれよりも大きく；
（ｈ）少なくとも３相が形成され、１相が大部分の成分Ａから成り、第２相が大部分の成分Ｂおよび大部分の成分Ｃから成り、第３相が大部分の成分Ｂ’および大部分の成分Ｃ’から成り；および
（ｉ）少なくとも３相が共連続相互連絡チャネル形態を形成する、
少なくとも５成分を含む共連続相互連絡チャネル形態を有する組成物。
【請求項１１】  （ａ）成分Ａが半結晶性ポリマーおよび８ＭＰａを超える剪断弾性係数を有する非晶質ポリマーである熱可塑性樹脂群から選択され；
（ｂ）成分Ｂが親水性作用物質のポリマーであり；
（ｃ）成分ＡおよびＢが相互に混和性でなく、成分ＡおよびＢが混合後反応する場合に成分ＡおよびＢは反応前に混和せず；
（ｄ）成分Ｃが放出性材料粒子であり；
（ｅ）成分Ａの体積率が成分Ａ、ＢおよびＣの全体積の少なくとも５０体積％を示し；
（ｆ）成分Ｂおよび成分Ｃ間の優先親和力が成分Ａおよび成分Ｃ間の優先親和力よりも大きく；
（ｇ）少なくとも２相が形成され、１相目が大部分の成分Ａからなり、第２相目が大部分の成分Ｂおよび大部分の成分Ｃからなり；および
（ｈ）２相が共連続相互連絡チャネル形態を形成する、
少なくとも３成分を含む共連続相互連絡チャネル形態を有する組成物。
【請求項１２】  成分Ｂがポリオレフィン、ポリカーボネート及びポリアミドからなる群から選択される、請求項１に記載の組成物。
【請求項１３】  成分Ａ及びＢがポリオレフィン、ポリカーボネート及びポリアミドからなる群から選択される、請求項１に記載の組成物。
【請求項１４】  放出性材料が芳香、風味、生物学的活性成分、風媒活性化学品、殺生物剤、及びガスからなる群から選択される、請求項２に記載の組成物。
【請求項１５】  成分Ｂがエチレン−ビニルアセテートコポリマーである、請求項１に記載の組成物。
【請求項１６】  成分Ｂが熱可塑性コポリマーであり、また成分Ｃが乾燥剤粒子である、請求項１に記載の組成物。